(57)【要約】【課題】  引き込み受注が分散して、かつ、時期がずれてなされたような場合でも、比較的簡単に、かつ、低コストで受注ユーザへのケーブル引き込みを行うことができる光ファイバーケーブルを提供する。【解決手段】ユーザへの引き込みケーブルに接続されている配線用のサブケーブル３と、配線用のサブケーブル３に接続されている幹線用の本体ケーブル２と、支持線４とを一体化してある。【選択図】図１
2009025444.tif 000002
【特許請求の範囲】
【請求項１】
ユーザへの引き込みケーブルに接続されている配線用のサブケーブルと、前記配線用のサブケーブルに接続されている幹線用の本体ケーブルと、支持線とを一体化する、
ことを特徴とする光ファイバーケーブル。
【請求項２】
２４芯以下のサブケーブルと、２４芯以上の本体ケーブルと、支持線とを一体化する、
ことを特徴とする光ファイバーケーブル。
【請求項３】
前記支持線に前記サブケーブルと前記本体ケーブルとをそれぞれ取付け支持する、
ことを特徴とする請求項１記載の光ファイバーケーブル。
【請求項４】
前記支持線に前記本体ケーブルを取付け支持するとともに、本体ケーブルに前記サブケーブルを取付け支持する、
ことを特徴とする請求項１記載の光ファイバーケーブル。
【請求項５】
支持線と、配線用のサブケーブルと、幹線用の本体ケーブルとを一体化してなる光ファイバーケーブルを架設し、
前記本体ケーブルの任意の光ファイバを本体ケーブルの任意の部位で分岐させて前記サブケーブルの各光ファイバに光接続する、
ことを特徴とする光ファイバケーブルの布設方法。
【請求項６】
分岐接続された前記サブケーブルの全ての光ファイバがケーブル供給先に接続されたサブケーブルより下流側において、前記本体ケーブルの残余の光ファイバを分岐させて、その分岐部位より下流側のサブケーブルの各光ファイバに光接続する、
ことを特徴とする請求項５記載の光ファイバケーブルの布設方法。
【請求項７】
前記本体ケーブルから分岐させた光ファイバを、分岐部位からみて上流側に位置するサブケーブルの光ファイバに光接続する、
ことを特徴とする請求項５または６記載の光ファイバケーブルの布設方法。
【発明の詳細な説明】
【技術分野】
【０００１】
本発明は、主として使用末端ユーザに光通信線を配線する際に用いられる光ファイバーケーブルとこれを布設する方法に関する。
【背景技術】
【０００２】
光ファイバーケーブルとしては、多数の芯線を備えた幹線用の本体ケーブルを支持線に取付け支持して一体化した自己支持型のものが多用されている（例えば、特許文献１参照）。
【特許文献１】特開２００３−２０２４６９号公報
【発明の開示】
【発明が解決しようとする課題】
【０００３】
末端ユーザに光通信線を配線する光ファイバケーブルの配線構造においては、例えば、図７に示すように、２４〜３０芯程度の容量の本体ケーブル２１を電柱２４等に架設したうえで、ユーザから光ケーブルの引き入れを受注すると、その都度、本体ケーブル２１における光ファイバのうちの１本をクロージャ２２によって複数芯（通常は８芯）の分岐ケーブル２３の各光ファイバに光接続し、この分岐ケーブル２３を受注ユーザ近くの電柱２４まで架設したうえで、受注ユーザｈ1に極近い電柱２４において、分岐ケーブル２３における光ケーブルのうちの１本を引き出して引き込みケーブル（ドロップケーブル）２５に光接続し、その引き込みケーブル２５を受注ユーザｈ1に導く。先に受注したユーザｈ1の近傍において別のユーザh2から受注があれば、先に架設された分岐ケーブル２３の光ファイバにおける残余のものを引き出して引き込みケーブル２６に光接続し、その引き込みケーブル２６を受注ユーザｈ2に導くことになり、分岐ケーブル２３の架設領域では分岐ケーブル２３の回線容量だけの引き込みが可能となる。
【０００４】
先に架設した分岐ケーブル２３の架設領域から離れた場所で引き込み受注があると、既設の分岐ケーブル２３に未使用の光ファイバが在るにもかかわらず、本体ケーブル２１における残余の光ファイバの１本をクロージャ２７において別の分岐ケーブル２８に接続して、この分岐ケーブル２８からの引き込みが行われることになる。
【０００５】
従って、引き込み受注が分散して、かつ、時期がずれてなされたような場合、数多くのクロージャを使って本体ケーブルに分岐ケーブルを接続する必要があり、布設工事に手間がかかるとともに、クロージャを数多く使用することで布設コストが高くなるものであった。
【０００６】
本発明は、このような実情に着目してなされたものであって、引き込み受注が分散して、かつ、時期がずれてなされたような場合でも、比較的簡単に、かつ、低コストで受注ユーザへの引き込みを行うことができる光ファイバーケーブルとその布設方法を提供することを目的とするものである。
【課題を解決するための手段】
【０００７】
上記目的を達成するために、本発明は以下のように構成した。
【０００８】
第１の発明に係る光ファイバケーブルは、ユーザへの引き込みケーブルに接続されている配線用のサブケーブルと、前記配線用のサブケーブルに接続されている幹線用の本体ケーブルと、支持線とを一体化してある。
【０００９】
第２の発明に係る光ファイバケーブルは、２４芯以下のサブケーブルと、２４芯以上の本体ケーブルと、支持線とを一体化してある。
【００１０】
これらの構成によると、電柱などを利用して架設した本体ケーブルの任意の光ファイバを本体ケーブルの任意の部位で引出して複数に分岐し、サブケーブルの各光ファイバに光接続することで、サブケーブルの各光ファイバを任意の箇所から任意の時期に引き出して受注ユーザの引き込みケーブルに光接続することができる。
【００１１】
サブケーブルを接続した後でも、サブケーブルの別の箇所において本体ケーブルの残余の光ファイバを分岐させてサブケーブルの各光ファイバに光接続することができ、一度広域に光ファイバケーブルを架設しておくだけで、サブケーブルの光ファイバを無駄なく使用してのケーブル引き込みが可能となる。
【００１２】
第３の発明に係る光ファイバケーブルは、上記第１の発明において、
前記支持線に前記サブケーブルと前記本体ケーブルとをそれぞれ取付け支持してある。
【００１３】
この構成によると、サブケーブルおよび本体ケーブルは支持線にそれぞれ個別に一体化することになり、サブケーブルおよび本体ケーブルをそれぞれ独立して確実に架設支持することができる。
【００１４】
第４の発明に係る光ファイバケーブルは、上記第１の発明において、
前記支持線に前記本体ケーブルを取付け支持するとともに、本体ケーブルに前記サブケーブルを取付け支持してある。
【００１５】
この構成によると、光ファイバケーブルを電柱等に架設する場合、ロール巻きされた光ファイバケーブルをガイドローラを介して架設部位に案内供給する際に、光ファイバケーブルの一端部に位置する支持線を集中してガイドローラで巻回案内することが容易となり、本体ケーブルやサブケーブルを不当に擦って損傷するようなことを抑制しながら円滑に架線処理することができる。
【００１６】
第５の発明に係る光ファイバケーブルの布設方法は、
支持線と、配線用のサブケーブルと、幹線用の本体ケーブルとを一体化してなる光ファイバーケーブルを架設し、前記本体ケーブルの任意の光ファイバを本体ケーブルの任意の部位で分岐させて前記サブケーブルの各光ファイバに光接続することを特徴とする。
【００１７】
これによると、架設した本体ケーブルの任意の光ファイバを本体ケーブルの任意の部位で引き出して分岐し、サブケーブルの各光ファイバに光接続することで、サブケーブルの各光ファイバを任意の箇所から任意の時期に引き出して受注ユーザの引き込みケーブルに光接続することができる。
【００１８】
第６の発明に係る光ファイバケーブルの布設方法は、上記第５の発明において、
分岐接続された前記サブケーブルの全ての光ファイバがケーブル供給先に接続されたサブケーブルより下流側において、前記本体ケーブルの残余の光ファイバを分岐させて、その分岐部位より下流側のサブケーブルの各光ファイバに光接続することを特徴とする。
【００１９】
これによると、本体ケーブルの光ファイバにサブケーブルを接続した後でも、サブケーブルの別の箇所において本体ケーブルの残余の光ファイバを引き出してサブケーブルの各光ファイバに光接続することができ、一度広域に光ファイバケーブルを架設しておくだけで、サブケーブルの光ファイバを無駄なく使用してのケーブル供給が可能となる。
【００２０】
第７の発明に係る光ファイバケーブルの布設方法は、上記第５または第６の発明において、
前記本体ケーブルから分岐させた光ファイバを、分岐部位からみて上流側に位置するサブケーブルの光ファイバに光接続することを特徴とする。
【００２１】
これによると、サブケーブル光ファイバの内、使用された光ファイバの下流側部分も、その下流側において本体ケーブルから分岐させた別の光ファイバに光接続して使用することが可能であり、本体ケーブルと同時に架設されたサブケーブルの光ファイバを無駄なく利用することが可能となる。
【発明の効果】
【００２２】
このように、本発明による光ファイバーケーブルおよびその布設方法を利用すれば、引き込み受注が分散して、かつ、時期がずれてなされたような場合でも、比較的簡単に、かつ、低コストで受注ユーザへの引き込みを行うことができる。
【発明を実施するための最良の形態】
【００２３】
以下、本発明の実施例を図面に基づいて説明する。
【００２４】
図１に、本発明に係る光ファイバーケーブル１の一部が示されている。この光ファイバーケーブル１は、電柱などに架設できるよう、本体ケーブル２、サブケーブル３、および、支持線４を一体化した架空型に構成されている。
【００２５】
前記本体ケーブル２は、ケーブルコア５をシース６で被覆して構成されている。ケーブルコア５は、鋼線を縒り合わせたテンションメンバー８が中心埋設されるとともに、外周に複数条（この例では６条）の溝９が形成された樹脂製のスペーサ７と、各溝９に沿って収容されたテープ状の芯線１０と、スペーサ７の外周を覆う押え巻き層１１とで構成されており、２本の光ファイバを埋設した芯線１０を各溝９に２本づつ収容することで２４芯の回線容量を備えている。なお、図１における各芯線１０には２本の光ファイバが収納されているが、各芯線１０に４〜８本の光ファイバを収納してもよい。また、ケーブルコア５は、スペーサ７を有しているが、スペーサ７を省略してもよい。
【００２６】
前記サブケーブル４は、４本の光ファイバを埋設してなるテープ状の芯線を２枚積層して構成されるとともに、前記支持線２は鋼線を縒り合わせて構成されており、ケーブルコア５を覆うシース６を介して本体ケーブル２、サブケーブル３、および、支持線４が一体化されている。サブケーブル４のコアは、４本の光ファイバが埋設されたテープ状の芯線でなくてもよく、複数本の光ファイバを並べてそのまま前記コアとして用いてもよい。なお、この例では、本体ケーブル２と支持線４との連結部位、および、サブケーブル３と支持線４との連結部位においてシース６の一部がケーブル長手方向に所定ピッチで欠如されている。
【００２７】
上記のように構成された光ファイバケーブル１の布設方法を以下に説明する。
【００２８】
図２に示すように、ケーブル引き込みの受注があると、先ず、図外左方において光信号送受信局に接続された光ファイバケーブル１を電柱１２を利用して広域に架線する。
【００２９】
次に、光ファイバケーブル１の適所にクロージャ１３を装填し、本体ケーブル２から１本の光ファイバ１ａを引き出して８分岐器によって８本に分岐し、サブケーブル３の８本の光ファイバ３ａ〜３ｈにそれぞれ光接続する。
【００３０】
受注ユーザｈ1の近くにおいて、サブケーブル３の１本の光ファイバ３ａを引き込みケーブル１４に光接続し、この引き込みケーブル１４を受注ユーザｈ1に導く。
【００３１】
図３に示すように、光ファイバケーブル１の架設領域で別の受注ユーザｈ2が発生すれば、サブケーブル３における残余の光ファイバ３ｂ〜３ｈのいずれかを引き込みケーブル１４に光接続してその受注ユーザｈ2に導く。この例では、サブケーブル３が８芯の回路容量であるので８件までの引き込み受注に対応することができる。
【００３２】
図４に示すように、８件の引き込みが行われた領域より下流側で引き込み受注が発生すると、本体ケーブル２における残余の光ファイバの１本２ｂを引き出して別のクロージャ１５を介して分岐し、サブケーブルの８本の光ファイバ３ｂ〜３ｈに光接続することで、更に８件の引き込み受注に応じることができる。
【００３３】
この光ファイバケーブル１は、本体ケーブル２とサブケーブル３が一体に架設されるので、次のような布設も可能となる。
【００３４】
すなわち、図５に示すように、８件の引き込みが行われた領域の下流側で、別のクロージャ１６を介して本体ケーブル２の他の光ファイバ２ａをサブケーブル３に分岐接続する場合、サブケーブル３における光ファイバ３ａ〜３ｈの一部（例えば３ａ）を、分岐部位Ｘの上流側に向けて光接続することで、この分岐部位Ｘの下流側域のみならず上流側域のサブケーブル３から引き込みを行うことが可能となる。
（他の実施例）
【００３５】
本発明は、以下のような形態で実施することもできる。
【００３６】
（１）図６に示すように、支持線２に本体ケーブル３を支持するとともに、本体ケーブル３にサブケーブル４を取付支持して３者を一体化することもできる。
【００３７】
（２）別体に構成した本体ケーブル２、サブケーブル３、および、支持線４をバインド線で外囲して３者を一体化、あるいは、本体ケーブル２と支持線４を一体化した架空型ケーブルとサブケーブル３とをバインド線で外囲して３者を一体化することもできる。
【００３８】
（３）上記実施例では、本体ケーブル３を２４芯、サブケーブルを８芯の回線容量のものとしているが、回線容量は任意に設定できる。
【００３９】
（４）サブケーブル３に回線容量が多いものを用いる場合には、クロージャにおいて本体ケーブル２から複数本の光ファイバを引き出してサブケーブル３の各光ファイバに光接続すればよい。
【図面の簡単な説明】
【００４０】
【図１】光ファイバケーブルの一部を示す斜視図である。
【図２】光ファイバケーブルの基本的な布設形態を示す概略図である。
【図３】光ファイバケーブルの布設形態を示す概略図である。
【図４】光ファイバケーブルの他の布設形態を示す概略図である。
【図５】光ファイバケーブルの更に別の布設形態を示す概略図である。
【図６】光ファイバケーブルの別実施例を示す斜視図である。
【図７】従来の光ファイバケーブルの布設形態を示す概略図である。
【符号の説明】
【００４１】
２                本体ケーブル
２ａ，２ｂ        光ファイバ
３                サブケーブル
３ａ〜３ｈ        光ファイバ
４                支持線
Ｘ                分岐部位
【図１】
2009025444.tif 000003
【図２】
2009025444.tif 000004
【図３】
2009025444.tif 000005
【図４】
2009025444.tif 000006
【図５】
2009025444.tif 000007
【図６】
2009025444.tif 000008
【図７】
2009025444.tif 000009